(57)【要約】【課題】  Ａ／Ｖネットワーク上に存在するＡ／Ｖ装置についての区別情報を生成する装置、システム及び方法を提供する。【解決手段】  Ａ／Ｖネットワーク上に存在する装置のうち同じ機器情報を持つ装置に第２区別情報を提供して、ユーザの装置選択時に各装置を明確に区別可能にするＡ／Ｖネットワーク上に存在するＡ／Ｖ装置についての区別情報を生成する装置、システム及び方法。  Ａ／Ｖネットワーク上に存在する被制御装置の機器情報及び第１区別情報を要請する情報要請部と、前記要請に応じて伝送された機器情報をチェックして同じ機器情報を持つ装置の存否を判断する判断部と、前記判断結果、同じ機器情報を持つ装置が存在する場合、前記装置についての第２区別情報を生成する第２区別情報生成部と、前記伝送された機器情報、第１区別情報、及び前記生成された第２区別情報を保存する情報保存部と、を備えるＡ／Ｖネットワーク上に存在するＡ／Ｖ装置についての区別情報を生成するマスター装置。【選択図】      図２
2006338657.tif 000002
【特許請求の範囲】
【請求項１】
Ａ／Ｖネットワーク上に存在する被制御装置の機器情報及び第１区別情報を要請する情報要請部と、
前記要請に応じて伝送された機器情報をチェックして同じ機器情報を持つ装置の存否を判断する判断部と、
前記判断結果、同じ機器情報を持つ装置が存在する場合、前記装置についての第２区別情報を生成する第２区別情報生成部と、
前記伝送された機器情報、第１区別情報、及び前記生成された第２区別情報を保存する情報保存部と、を備えるＡ／Ｖネットワーク上に存在するＡ／Ｖ装置についての区別情報を生成するマスター装置。
【請求項２】
前記保存された機器情報及び第２区別情報に基づいて、各装置のユーザインターフェースを生成するユーザインターフェース生成部をさらに備える請求項１に記載のＡ／Ｖネットワーク上に存在するＡ／Ｖ装置についての区別情報を生成するマスター装置。
【請求項３】
前記判断部は、同じ機器情報を持つ装置が存在する場合、前記装置についての第１区別情報をチェックして装置の同一如何を判断し、前記第２区別情報生成部は、前記判断部の判断結果、機器情報が同一であり、第１区別情報が相異なる装置についての第２区別情報を生成する請求項１に記載のＡ／Ｖネットワーク上に存在するＡ／Ｖ装置についての区別情報を生成するマスター装置。
【請求項４】
機器情報及び第１区別情報を含み、所定の制御信号によって動作する被制御装置と、
前記被制御装置に前記機器情報及び前記第１区別情報を要請し、前記要請に応じて受信された機器情報に基づいて同じ機器情報を持つ被制御装置の存否を判断し、前記判断結果、同じ機器情報を持つ被制御装置が存在する場合、第２区別情報を生成してそれぞれの被制御装置を区分させるマスター装置を備えるＡ／Ｖネットワーク上に存在するＡ／Ｖ装置についての区別情報を生成するシステム。
【請求項５】
前記マスター装置は、Ａ／Ｖネットワーク上に存在する被制御装置の機器情報及び第１区別情報を要請する情報要請部と、前記要請に応じて伝送された機器情報をチェックして同じ機器情報を持つ装置の存否を判断する判断部と、前記判断結果、同じ機器情報を持つ装置が存在する場合、前記装置についての第２区別情報を生成する第２区別情報生成部と、前記伝送された機器情報、第１区別情報、及び前記生成された第２区別情報を保存する情報保存部と、前記保存された機器情報及び第２区別情報に基づいて各装置のユーザインターフェースを生成するユーザインターフェース生成部と、をさらに備える請求項４に記載のＡ／Ｖネットワーク上に存在するＡ／Ｖ装置についての区別情報を生成するシステム。
【請求項６】
前記マスター装置は、前記生成されたユーザインターフェースをディスプレイ装置を通じてユーザに提供する請求項５に記載のＡ／Ｖネットワーク上に存在するＡ／Ｖ装置についての区別情報を生成するシステム。
【請求項７】
Ａ／Ｖネットワーク上に存在する被制御装置の機器情報及び第１区別情報を要請するステップと、
前記要請に応じて伝送された機器情報をチェックして同じ機器情報を持つ装置の存否を判断するステップと、
前記判断結果、同じ機器情報を持つ装置が存在する場合、前記装置についての第２区別情報を生成するステップと、
前記機器情報及び前記第２区別情報に基づいてユーザの被制御装置選択のためのユーザインターフェースを生成して画面にディスプレイするステップと、を含むＡ／Ｖネットワーク上に存在するＡ／Ｖ装置についての区別情報を生成する方法。
【請求項８】
前記装置についての第２区別情報を生成するステップは、前記伝送された第１区別情報をチェックして装置の同一如何を判断するステップと、前記判断結果第１区別情報が相異なる場合、前記装置についての第２区別情報を生成するステップと、を含む請求項７に記載のＡ／Ｖネットワーク上に存在するＡ／Ｖ装置についての区別情報を生成する方法。
【請求項９】
前記ユーザインターフェースは、前記第２区別情報を表示する請求項７に記載のＡ／Ｖネットワーク上に存在するＡ／Ｖ装置についての区別情報を生成する方法。
【発明の詳細な説明】
【技術分野】
【０００１】
本発明は、音声／映像（オーディオ／ビデオ）ネットワーク上に存在するＡ／Ｖ装置についての区別情報を生成する装置、システム及び方法に係り、さらに詳細には、Ａ／Ｖネットワーク上に存在する装置のうち同じ機器情報を持つ装置に第２区別情報を提供して、ユーザの装置選択時に各装置を明確に区別可能にするＡ／Ｖネットワーク上に存在するＡ／Ｖ装置についての区別情報を生成する装置、システム及び方法に関する。
【背景技術】
【０００２】
最近になって、デジタルＡ／Ｖの処理技術の画期的な発達につれて、デジタルＴＶ、セットトップボックス、ＤＶＤ再生機、デジタルアンプなど多様なＡ／Ｖ機器が家庭や事務室内で設置されて使われている。そして、家庭や事務室のユーザは、リモコンなどを利用してこのような機器を便利に制御できる。しかし、一定空間内に設置されるＡ／Ｖ機器数が増加するほどそれぞれの機器を制御することは益々複雑かつ難しくなる。
【０００３】
これに、複数のＡ／Ｖ機器を相互連動させて一つにシステム化し、ユーザが前記システム化されたＡ／Ｖ機器を簡便に制御できる技術が研究されてきた。このような研究において、前記Ａ／Ｖ機器は、ネットワークインターフェースを通じて他のＡ／Ｖ機器と連結されることによって、全体的に一つのＡ／Ｖネットワークシステムを持つようになる。
【０００４】
このような研究の一環として、最近にＡ／ＶホームネットワーキングのためのミドルウェアであるＸＨＴ（エキスパンダブルホームシアタ）技術標準が開発されて提示された。このようなＸＨＴ技術は、韓国の三星電子（株）が開発したデジタルＴＶ中心のホームネットワークソリューションであって、米国家電協会（コンシューマエレクトロニクスアソシエーション：以下、ＣＥＡという）の標準規格と採択された。
【０００５】
ＸＨＴ技術は、複数のＨＤ（高精細度）級信号を安定的に伝達できるＩＥＥＥ  １３９４ケーブルと、インターネットで主に使われる通信規格であるインターネットプロトコルを利用してデジタルＴＶと連結されたＡ／Ｖ機器はもとより、複数台のデジタルＴＶを制御可能にする。ＸＨＴ技術を利用すれば、茶の間でも居間にあるデジタルＴＶのデジタル放送受信機能を活用してデジタル放送を視聴できる。
【０００６】
また、ＸＨＴ技術を利用した廉価型放送受信装置（ＮＩＵ；ネットワークインタフェースユニット）は、メモリカード形態になっていて地上波・衛星・ケーブルなど受信方式による変更が容易で、放送事業者の経済的負担を低減させている。特に、ＸＨＴ技術は、デジタルＴＶに内蔵されたブラウザーを通じて多様な形態のＰＯＴＵＬサービスが可能である。
【０００７】
ＸＨＴ技術で具現されたＡ／Ｖ機器の動作順序を説明すれば、まず所定のアドレス割り当てアルゴリズムによってＡ／Ｖネットワーク内のＡ／Ｖ機器それぞれに自動でローカルＩＰアドレスを割り当てる。次いで、ローカルＩＰアドレスが割り当てられたＡ／Ｖ機器は自身の機器情報を所定の定義された構文形式（ＤｅｖｉｃｅＩｎｆｏ．ｘｓｄファイルによって定義される）によるＸＭＬ（エクステンシブルマークアップランゲージ）ファイル（ＤｅｖｉｃｅＩｎｆｏ．ｘｍｌ）で表現し、これを他のＡ／Ｖ機器に伝送する。前記ＤｅｖｉｃｅＩｎｆｏ．ｘｍｌには、Ａ／Ｖ機器を動作させるためのＨＴＴＰ（ハイパーテキストトランスファープロトコル）命令のセットを記述したファイル（ＸＨＴ９３１．ｘｓｄ）のＵＲＩ（ユニフォームリソースアイデンティファイア）が記録されている。
【０００８】
前記ＤｅｖｉｃｅＩｎｆｏ．ｘｍｌを生成したＡ／Ｖ機器は、ＸＨＴ９３１．ｘｓｄを参照して該当機器が支援するＨＴＴＰ命令を記録したＸＭＬファイル（ＸＨＴ９３１．ｘｍｌ）を生成し、これをやはり他のＡ／Ｖ機器に伝送する。
【０００９】
いずれか一つのＡ／Ｖ機器に対して、機器情報を表現したＤｅｖｉｃｅＩｎｆｏ．ｘｍｌ及び支援するＨＴＴＰ命令を記録したＸＨＴ９３１．ｘｍｌを受信した他のＡ／Ｖ機器は、前記受信したファイルを利用して前記ファイルを伝送したＡ／Ｖ機器の情報を把握し、ＨＴＴＰ命令を利用して前記Ａ／Ｖ機器を制御できるようになる。
【００１０】
図１Ａは、Ａ／Ｖネットワーク上に存在するマスター装置及び被制御装置の動作過程を示す図面である。
【００１１】
図示されたように、Ａ／Ｖネットワークに接続する被制御装置２１は、２０２７ファイルを生成する。ここで、２０２７ファイルは、製造社名、モデル番号、製品の機能的名称（Ｄｅｓｃｒｉｐｔｉｖｅ  ｔｅｒｍ）、及びロジカルユニットを含む。その後、被制御装置２１は、２０２７ファイルに基づいて機器情報を保存する。
【００１２】
その後、マスター装置１０は、被制御装置２０に機器情報を要請し（Ｓ１）、被制御装置２０から伝送された機器情報に基づいてＡ／Ｖネットワーク上に存在する装置についてのユーザインターフェース（以下、ＵＩという）を生成して、ディスプレイ装置２２を通じてディスプレイする（Ｓ２、Ｓ３）。
【００１３】
これに、ユーザは、ディスプレイ装置２２に見られているＵＩを通じて操作しようとする所定の装置を選択して装置操作を要請すれば（Ｓ４、Ｓ５）、マスター装置１０は、ユーザの操作による制御信号を伝送され、これに該当被制御機器２１を制御する（Ｓ６）。
【００１４】
図１Ｂは、ＣＥＡ  ２０２７スペックによる２０２７ファイル内容の一例を示す図面である。
【００１５】
図示されたように、Ｍａｎｕｆａｃｔｕｒｅｒタッグ位置１にはＡ／Ｖネットワーク上に存在する装置（例えば、マスター装置、及び被制御装置）の製造社名が記載され、ＭｏｄｅｌＮｏタッグ位置２にはモデル番号が記載され、Ｄｅｓｃタッグ位置３には製品の機能的名称が記載される。
【００１６】
図１Ｃは、各装置についてのＵＩを画面にディスプレイした図面であって、Ａ／Ｖネットワーク上に存在するマスター装置及び被制御装置の２０２７ファイル情報に基づいて、マスター装置及び被制御装置のアイコンを生成してディスプレイ装置２２の画面を通じて提供する。
【００１７】
図示されたように、ディスプレイ装置２２の画面にＡ／Ｖネットワーク上に存在するマスター装置１０及び被制御装置１１についてのアイコンがディスプレイされれば、ユーザは、ディスプレイされたマスター装置１０及び被制御装置１１についてのＵＩを通じて利用しようとする製品を選択する。
【００１８】
しかし、同じＡ／Ｖネットワーク上に同じ会社で製造した同じモデル番号の製品が同時に存在する場合、ディスプレイ装置２２にディスプレイされたＵＩには同じ形態のアイコンが採用された製品情報がディスプレイされる。これに、ユーザは、マスター装置１０がディスプレイ装置２２を通じて提供するＵＩを通じては、利用しようとする製品を正確に区分できないという問題点がある。
【００１９】
したがって、Ａ／Ｖネットワーク上に存在する同じ製造社及びモデル名を持つ装置を区分して、ユーザが所定装置を選択するに当って明確に区分できる技術が必要である。
【発明の開示】
【発明が解決しようとする課題】
【００２０】
本発明は、Ａ／Ｖネットワーク上に存在する装置のうち同じ機器情報を持つ装置に第２区別情報を提供して、ユーザの装置選択時に各装置を明確に区別可能にすることを目的とする。
【００２１】
特に、本発明は、同じ機器情報を保有するＡ／Ｖ装置に第２区別情報を提供する技術を適用した改良されたＸＨＴ標準を提供することを目的とする。
【００２２】
本発明の目的は、以上で言及した目的に制限されず、言及されていない他の目的は下の記載から当業者に明確に理解されうる。
【課題を解決するための手段】
【００２３】
前記目的を達成するために、本発明の一実施形態によるＡ／Ｖネットワーク上に存在するＡ／Ｖ装置についての区別情報を生成するマスター装置は、Ａ／Ｖネットワーク上に存在する被制御装置の機器情報及び第１区別情報を要請する情報要請部と、前記要請に応じて伝送された機器情報をチェックして同じ機器情報を持つ装置の存否を判断する判断部と、前記判断結果、同じ機器情報を持つ装置が存在する場合、前記装置についての第２区別情報を生成する第２区別情報生成部と、前記伝送された機器情報、第１区別情報、及び前記生成された第２区別情報を保存する情報保存部と、を備える。
【００２４】
また、本発明の他の実施形態によるＡ／Ｖネットワーク上に存在するＡ／Ｖ装置についての区別情報を生成するシステムは、機器情報及び第１区別情報を含み、所定の制御信号によって動作する被制御装置と、前記被制御装置に前記機器情報及び前記第１区別情報を要請し、前記要請に応じて受信された機器情報に基づいて同じ機器情報を持つ被制御装置の存否を判断し、前記判断結果、同じ機器情報を持つ被制御装置が存在する場合、第２区別情報を生成してそれぞれの被制御装置を区分させるマスター装置を備える。
【００２５】
また、本発明のまた他の実施形態によるＡ／Ｖネットワーク上に存在するＡ／Ｖ装置についての区別情報を生成する方法は、Ａ／Ｖネットワーク上に存在する被制御装置の機器情報及び第１区別情報を要請するステップと、前記要請に応じて伝送された機器情報をチェックして同じ機器情報を持つ装置の存否を判断するステップと、前記判断結果、同じ機器情報を持つ装置が存在する場合、前記装置についての第２区別情報を生成するステップと、前記機器情報及び前記第２区別情報に基づいてユーザの被制御装置選択のためのユーザインターフェースを生成して画面にディスプレイするステップと、を含む。
【００２６】
その他の実施例の具体的な事項は詳細な説明及び図面に含まれている。
【発明の効果】
【００２７】
本発明のＡ／Ｖネットワーク上に存在するＡ／Ｖ装置についての区別情報を生成する装置、システム及び方法によれば、次のような効果が一つあるいはそれ以上ある。
【００２８】
第１に、Ａ／Ｖネットワーク上に存在するＡ／Ｖ装置のうち同じ機器情報持つ装置をチェックして、第１区別情報が異なって機器情報が同じＡ／Ｖ装置について第２区別情報を提供する。
【００２９】
第２に、Ａ／Ｖネットワーク上に存在するＡ／Ｖ装置についてのＵＩを提供する時、第２区別情報があるＡ／Ｖ装置については第２区別情報を提供することによって、ユーザの装置選択時に各装置を明確に区別できる。
【発明を実施するための最良の形態】
【００３０】
本発明の利点及び特徴、そしてこれを達成する方法は添付された図面に基づいて詳細に後述されている実施例を参照すれば明確になる。しかし、本発明は以下で開示される実施例に限定されるものではなく、この実施例から外れて多様な形に具現でき、本明細書で説明する実施例は本発明の開示を完全にし、本発明が属する技術分野で当業者に発明の範ちゅうを完全に報せるために提供されるものであり、本発明は請求項及び発明の詳細な説明により定義されるだけである。一方、明細書全体に亙って同一な参照符号は同一な構成要素を示す。
【００３１】
以下、添付された図面を参照して本発明の望ましい実施形態を詳細に説明する。
【００３２】
図２は、本発明の一実施形態によるＡ／Ｖネットワーク上に存在するＡ／Ｖ装置についての区別情報を生成するシステムを概略的に示すブロック図である。ここで、Ａ／Ｖネットワークは、ＸＨＴネットワークを意味するが、これに限定されない。また、Ａ／Ｖ装置は、Ａ／Ｖ再生装置、Ａ／Ｖ保存装置、及びＡ／Ｖ出力装置などを備えるＡ／Ｖ関連装置を示す。
【００３３】
また、本発明は、ＣＥＡ  ２０２７と定義され、使われる言語は、ＨＴＭＬ（ハイパーテキストマークアップランゲージ）４．０である。また、Ａ／Ｖネットワーク上に存在するＡ／Ｖ装置（例えば、マスター装置、被制御装置）の機器情報は、ＣＥＡ  ２０２７スペックによる２０２７ファイルを基礎とする。
【００３４】
図示されたように、Ａ／Ｖネットワーク上に存在するＡ／Ｖ装置についての区別情報を生成するシステムは、マスター装置１００及び被制御装置２００（２１０、２２０、２３０、２４０）で構成される。
【００３５】
マスター装置１００は、Ａ／Ｖネットワーク上に存在する被制御装置２００に機器情報及び第１区別情報を要請し、要請に応じて受信されたそれぞれの被制御装置２１０、２２０、２３０、２４０の機器情報及び第１区別情報に基づいて、Ａ／Ｖネットワーク上に同じ機器情報を持つ被制御装置２００の存否を判断する。
【００３６】
判断結果、同じ機器情報を持つ被制御装置２００が存在する場合、マスター装置１００は該当装置についての第２区別情報を生成して同じ機器情報を持つ被制御装置２００を区分させる。ここで、機器情報は製造社名、モデル番号、及び製品の機能的名称と理解され、第１区別情報は、各装置ごとに持っている固有の識別番号と理解されることができる。そして、第２区別情報は、Ａ／Ｖ装置を表す新たな名称（ｒｅ−ｎａｍｅ）情報と理解されることができる。
【００３７】
また、マスター装置１００は、Ａ／Ｖネットワーク上に存在する被制御装置２００を制御できる。このようなマスター装置１００には、デジタルＴＶ、ＰＤＰ、ＬＣＤモニター、オーディオレシーバーなどが含まれる。
【００３８】
被制御装置２００は、機器情報及び第１区別情報を含み、マスター装置１００から機器情報及び第１区別情報要請時に保存された機器情報及び第１区別情報を提供する。
【００３９】
また、被制御装置２００は、マスター装置１００から伝送された所定の制御信号によって動作する。
【００４０】
図３は、本発明の他の実施形態によるＡ／Ｖネットワーク上に存在するＡ／Ｖ装置についての区別情報を生成するシステムで、マスター装置の内部ブロック図である。
【００４１】
図示されたように、マスター装置１００は、情報要請部１１０、判断部１２０、第２区別情報生成部１３０、ユーザインターフェース生成部１４０、第１送受信部１５０、第１情報保存部１６０、及び第１制御部１８０を備えて構成される。一方、マスター装置１００がディスプレイ機能を提供する装置である場合、第１ディスプレイ部１７０をさらに備える。
【００４２】
情報要請部１１０は、Ａ／Ｖネットワーク上に存在する被制御装置２１０、２２０、２３０、２４０の機器情報及び第１区別情報を要請する。ここで、機器情報は、製造社名、モデル番号、及び製品の機能的名称と理解され、第１区別情報は、各装置ごとに持っている固有の識別番号と理解されることができる。
【００４３】
判断部１２０は、情報要請部１１０の要請に応じて伝送された各被制御装置２１０、２２０、２３０、２４０の機器情報及び第１区別情報をチェックして、同じ機器情報（例えば、製造社名、モデル番号、製品の機能的名称など）を持つ装置の存否を判断する。
【００４４】
また、判断部１２０は、同じ機器情報を持つ装置が存在する場合、同じ機器情報を持つ装置についての第１区別情報をチェックしてそれぞれが同じ装置であるかどうかを判断する。
【００４５】  例えば、Ａ／Ｖネットワーク上に‘装置１’及び‘装置２’が存在し、‘装置１’の機器情報（例えば、製造社名−（公序良俗違反につき、不掲載）、モデル番号−ＬＴＮ２２６Ｗ、製品の機能的名称−ＡＶＨＤＤ）、第１区別情報（例えば、ＤＳＣ２００５０４００）及び‘装置２’の機器情報（製造社名−（公序良俗違反につき、不掲載）、モデル番号−ＬＴＮ２２６Ｗ、製品の機能的名称−ＡＶＨＤＤ）、第１区別情報（例えば、ＤＳＣ２００５０４０１）を持つ仮定する。【００４６】
まず、判断部１２０は、‘装置１’及び‘装置２’の機器情報をチェックする。ここで、判断部１２０は、‘装置１’及び‘装置２’が同じ機器情報を持つ装置であることを判断する。その後、判断部１２０は、‘装置１’及び‘装置２’の第１区別情報をチェックして‘装置１’及び‘装置２’が同じ装置であるかどうかを判断する。
【００４７】
判断結果‘装置１’及び‘装置２’が同じ機器情報を持つ相異なる装置である場合、判断部１２０は、第１制御部１８０に判断結果を伝送し、これに第１制御部１８０は、第２区別情報生成部１３０を通じて該当装置の第２区別情報を生成するように制御する。
【００４８】
第２区別情報生成部１３０は、判断部１２０の判断結果、同じ機器情報を保有する装置が存在する場合、同じ機器情報を保有した装置についての第２区別情報を生成する。ここで、第２区別情報の生成は、同じ機器情報を持つ装置において新たな名称（ｒｅ−ｎａｍｅ）を生成することであって、第２区別情報は、オリジナルネームに基づいて生成される。
【００４９】
例えば、第２区別情報は‘オリジナルネームｎ’形式で生成できる。ここで、ｎは任意の定数であって第２区別情報が生成される度に順次にナンバリングされ、マスター装置１００によって変更されることもある。
【００５０】
すなわち、‘装置１’及び‘装置２’が同じ機器情報を保有する場合、第２区別情報生成部１３０は、‘装置１’がオリジナルネーム（例えば、ＡＶＨＤＤ）を利用するように第２区別情報を生成せず、‘装置２’についての第２区別情報（例えば、ＡＶＨＤＤ１）を生成して提供する。
【００５１】
ＵＩ生成部１４０は、第１情報保存部１６０に保存された機器情報及び第１区別情報に基づいて、Ａ／Ｖネットワーク上に存在するＡ／Ｖ装置（すなわち、マスター装置１００及び被制御装置２００）についてのＵＩを生成する。ここで、Ａ／Ｖ装置のＵＩは、ユーザがＡ／Ｖネットワーク上に存在するＡ／Ｖ装置のうち所定Ａ／Ｖ装置を利用しようとする場合、ディスプレイ装置を通じて提供される。
【００５２】
また、ＵＩ生成部１４０は、所定の被制御装置２００についてのＵＩを生成する時、第１情報保存部１６０に保存された情報のうち第２区別情報があるかどうかをチェックし、チェック結果、該当装置に第２区別情報が存在する場合、第２区別情報で該当被制御装置２００のＵＩを生成する。また、被制御装置２００のＵＩには製造社名称も共に提供される。
【００５３】
第１送受信部１５０は、有／無線ネットワークを通じて被制御装置２００及びデータを送受信する役割を行う。ここで、第１送受信部１５０は、ＸＨＴ標準で使用するＩＥＥＥ  １３９４、無線ＬＡＮ標準であるＩＥＥＥ  ８０２．１１系列、有線ＬＡＮ標準であるＥｔｈｅｒｎｅｔ（登録商標）などによる多様なネットワークインターフェースで具現できる。
【００５４】
例えば、第１送受信部１５０は、Ａ／Ｖネットワーク上に存在する被制御装置２００に機器情報及び第１区別情報を要請し、要請に応じて伝送された被制御装置２００の機器情報及び第１区別情報を受信する。
【００５５】
また、第１送受信部１５０は、ユーザが発生させた被制御装置２００の選択命令信号を送受信する。
【００５６】
第１情報保存部１６０は、Ａ／Ｖネットワーク上に存在するＡ／Ｖ装置（すなわち、マスター装置１００及び被制御装置２００）の機器情報、第１区別情報、オリジナルネーム及び第２区別情報生成部１３０が生成した第２区別情報を保存する。ここで、第１情報保存部１６０は機器情報をテーブル形態で保存し、情報テーブルは、新たなＡ／Ｖ装置１００、２００の登録時または第２区別情報の生成時に元来保存されていた情報（例えば、機器情報、第１区別情報、オリジナルネーム、及び第２区別情報等）を更新してアップデートされる。以下、図５で機器情報を保存する情報テーブルについて詳細に説明する。
【００５７】
例えば、第１情報保存部１６０に新たなＡ／Ｖ装置１００、２００の機器情報が追加されれば、第１制御部１８０は第１情報保存部１６０をアップデートする。また、新たな第１情報及び第２情報が追加されれば、第１制御部１８０は第１情報保存部１６０をアップデートする。
【００５８】
第１ディスプレイ部１７０は、ＵＩ生成部１４０が生成したＡ／Ｖネットワーク上に存在するＡ／Ｖ装置のＵＩをディスプレイする。
【００５９】
第１制御部１８０は、Ａ／Ｖネットワーク上に存在する被制御装置２１０、２２０、２３０、２４０に機器情報及び第１区別情報を要請するように情報要請部１１０を制御し、第１送受信部１５０が機器情報及び第１区別情報を受信すれば、第１情報保存部１６０に受信された情報が保存されるように制御する。
【００６０】
また、第１制御部１８０は、判断部１２０を制御して第１情報保存部１６０に保存された機器情報及び第１区別情報を通じて同じ機器情報を保有する被制御装置２００の存否を判断させ、判断結果、同じ機器情報を保有した被制御装置２００が存在する場合、第２区別情報生成部１３０を制御して同じ機器情報を保有した被制御装置２００についての第２区別情報を生成させる。
【００６１】
また、第１制御部１８０は、新たな被制御装置２００の機器情報及び第１区別情報の伝送時、または被制御装置２００の第２区別情報生成時、第１情報保存部１６０に保存された情報（例えば、機器情報、第１区別情報、オリジナルネーム、及び第２区別情報など）をアップデートし、ＵＩ生成部１４０が第１情報保存部１６０に保存された情報に基づいて各装置のＵＩを生成するように制御する。
【００６２】
また、第１制御部１８０は、ユーザの所定被制御装置２００の選択時、該当被制御装置２００に制御信号を伝送して、該当被制御装置２００が動作するように制御する。ここで、ユーザの所定被制御装置２００の選択は、リモコン（図示せず）を通じてマスター装置１００に入力されてもよく、マスター装置１００の一部位置に設置されたパネルを通じて入力されてもよい。
【００６３】
図４は、本発明のさらに他の実施形態によるＡ／Ｖネットワーク上に存在するＡ／Ｖ装置についての区別情報を生成するシステムで、被制御装置の内部ブロック図である。
【００６４】
図示されたように、被制御装置２００は、情報抽出部２１０、第２情報保存部２２０、第２送受信部２３０、及び第２制御部２５０を備えて構成される。一方、被制御装置２００がディスプレイ機能を提供するディスプレイ装置である場合、第２ディスプレイ部２４０をさらに備える。
【００６５】
情報抽出部２１０は、被制御装置２００の機器情報及び第１区別情報を抽出するものであって、ここで、機器情報は、製造社名、モデル番号、及び製品の機能的名称と理解され、第１区別情報は、各装置ごとに持っている固有の識別番号と理解されることができる。
【００６６】
第２情報保存部２２０は、情報抽出部２１０が抽出した機器情報及び第１区別情報を保存する。
【００６７】
第２送受信部２３０は、有／無線ネットワークを通じてマスター装置１００とデータを送受信する役割を行う。ここで、第２送受信部２３０は、ＸＨＴ標準で使用するＩＥＥＥ  １３９４、無線ＬＡＮ標準であるＩＥＥＥ  ８０２．１１系列、有線ＬＡＮ標準であるＥｔｈｅｒｎｅｔ（登録商標）などによる多様なネットワークインターフェースで具現できる。
【００６８】
例えば、第２送受信部２３０は、マスター装置２００から伝送された機器情報及び第１区別情報要請信号を受信し、要請に応じて第２情報保存部２２０に保存された機器情報及び第１区別情報を伝送する。
【００６９】
第２ディスプレイ部２４０は、マスター装置１００のディスプレイ命令によってＡ／Ｖネットワーク上に存在するＡ／Ｖ装置のＵＩをディスプレイする。
【００７０】
第２制御部２５０は、情報抽出部２１０を通じて機器情報及び第１区別情報を抽出するように制御し、抽出された機器情報及び第１区別情報が第２情報保存部２２０に保存されるように制御する。
【００７１】
また、第２制御部２５０は、第２送受信部２３０がマスター装置１００から機器情報及び第１区別情報を要請する命令を受信すれば、第２情報保存部２２０に保存された機器情報及び第１区別情報を第２送受信部２３０を通じてマスター装置１００に伝送する。
【００７２】
図５は、本発明のさらに他の実施形態によるＡ／Ｖネットワーク上に存在するＡ／Ｖ装置についての区別情報を生成するマスター装置で、情報テーブルをアップデートする過程を示す図面である。
【００７３】
ここで、‘装置１’ないし‘装置ｎ’は、Ａ／Ｖネットワーク上に存在するＡ／Ｖ装置である。
【００７４】
図示されたように、情報テーブルは、製造社名、モデル番号、製品の機能的名称、第１区別情報、オリジナルネーム、及び第２区別情報などを保存している。
【００７５】
まず、図５Ａに示すように、マスター装置１００は、‘装置１’の機器情報（例えば、製造社名、モデル番号、製品の機能的名称）と第１区別情報、及びオリジナルネームを情報テーブルに保存する。ここで、オリジナルネームは、製品の機能的名称と同一に保存される。
【００７６】
その後、マスター装置１００は、‘装置２’についての機器情報、第１区別情報、及びオリジナルネームを情報テーブルに保存する。この時、‘装置１’及び‘装置２’は、製造社名、モデル番号、及び製品の機能的名称が同一であるので、同じオリジナルネームを持つ。
【００７７】
これに、マスター装置１００は、‘装置１’及び‘装置２’の第１区別情報をチェックして‘装置１’及び‘装置２’が相異なる装置であることを判断し、‘装置２’についての第２区別情報（例えば、ＡＶＨＤＤ１）を生成して情報テーブルに保存する（図５Ｂ参照）。
【００７８】
その後、マスター装置１００は、‘装置３’についての機器情報、第１区別情報、及びオリジナルネームを情報テーブルに保存する。この時、‘装置２’及び‘装置３’は、製造社名、モデル番号、及び製品の機能的名称が同一であるので、同じオリジナルネームを持つ。
【００７９】
これに、マスター装置１００は、‘装置２’及び‘装置３’の第１区別情報をチェックして‘装置２’及び‘装置３’が相異なる装置であることを判断し、‘装置３’についての第２区別情報（例えば、ＡＶＨＤＤ２）を生成して情報テーブルに保存する（図５Ｃ参照）。
【００８０】
その後、マスター装置１００は、‘装置４’についての機器情報、第１区別情報、及びオリジナルネームを情報テーブルに保存する。この時、‘装置４’は、‘装置１’と同じオリジナルネームを持つが、製造社名、モデル番号、及び製品の機能的名称が同じではないから第２区別情報が必要ではない（図５Ｄ参照）。
【００８１】  図６Ａは、ＣＥＡ  ２０２７スペックによる２０２７ファイル内容の一例を示す図面であって、図示されたようにＭａｎｕｆａｃｔｕｒｅｒタッグ位置１１にＡ／Ｖ装置の製造社名（例えば、（公序良俗違反につき、不掲載））が記載され、ＭｏｄｅｌＮｏタッグ位置１２にモデル番号（例えば、ＬＴＮ２２６Ｗ）が記載され、Ｄｅｓｃタッグ位置１３に製品の機能的名称（例えば、ＡＶＨＤＤ）が記載され、ＩｄｅｎＮｏタッグ位置１４に装置の識別番号である第１区別情報（例えば、ＤＣＤ２００５０４００）が記載される。【００８２】
図６Ｂは、Ａ／Ｖネットワーク上に存在する各Ａ／Ｖ装置についてのＵＩを画面５０にディスプレイした図面であって、図示されたように各装置についてのＵＩにオリジナルネーム（または第２区別情報）及び製造社名を提供することによって、ユーザがそれぞれの装置を容易に区別できるようにした。
【００８３】
すなわち、ディスプレイされたＡＶＨＤＤ装置５１、５２、５３、５４のうち、製造社名、モデル番号、及びオリジナルネームが同じＡＶＨＤＤ装置５１、５２、５３は、それぞれオリジナルネームＡＶＨＤＤと、第２区別情報ＡＶＨＤＤ１、ＡＶＨＤＤ２を提供して表示し、製造社が他のＡＶＨＤＤ装置５１、５２、５３とは異なるＡＶＨＤＤ装置５４は、ＡＶＨＤＤ装置５１とオリジナルネームが同じであるが、製造社名が異なって提供されることによって、他のＡＶＨＤＤ装置５１、５２、５３と区別させた。
【００８４】
図７は、本発明のさらに他の実施形態によるＡ／Ｖネットワーク上に存在するＡ／Ｖ装置についての区別情報を生成する方法を示すフローチャートである。
【００８５】
まず、マスター装置１００の情報要請部１１０が、Ａ／Ｖネットワーク上に存在する被制御装置２００に機器情報及び第１区別情報を要請する（Ｓ２００）。ここで、機器情報は、製造社名、モデル番号及び製品の機能的名称と理解され、第１区別情報は、各装置ごとに持っている固有の識別番号と理解されることができる。
【００８６】
その後、第１制御部１８０は、被制御装置２００から伝送された機器情報及び第１区別情報を第１情報保存部１６０に保存するように制御する（Ｓ２１０）。ここで、第１情報保存部１６０は、機器情報をテーブル形態に保存する（図５参照）。第１制御部１８０は、被制御装置２００の機器情報（例えば、製品の機能的名称）を利用して各被制御装置のオリジナルネームを生成する。
【００８７】
次いで、第１制御部１８０は、判断部１２０に同じ機器情報を持つ被制御装置２００の存否を判断するように要請し、これに判断部１２０は、第１情報保存部１６０に保存された被制御装置２００の機器情報をチェックして同じ機器情報を持つ被制御装置２００の存否を判断する（Ｓ２２０）。
【００８８】
判断結果、同じ機器情報を持つ被制御装置２００が存在する場合（Ｓ２３０）、判断部１２０は、該当被制御装置２００の第１区別情報をチェックし（Ｓ２４０）、チェック結果、被制御装置２００の第１区別情報が相異なる場合には同じ機器情報を持つ装置と判断する（Ｓ２５０、Ｓ２６０）。
【００８９】
例えば、判断部１２０がＡ／Ｖネットワーク上に存在する‘装置１’２１０及び、‘装置２’２２０についての機器情報をチェックする。
【００９０】  機器情報をチェックした結果、装置１２１０及び装置２２２０が同じ機器情報（例えば、製造社名−（公序良俗違反につき、不掲載）、モデル番号−ＬＴＮ２２６Ｗ、製品の機能的名称−ＡＶＨＤＤ）である場合、判断部１２０は、装置１２１０及び装置２２２０の第１区別情報をチェックする。【００９１】
これに、第１区別情報をチェックした結果、相異なる第１区別情報（例えば、装置１の第１区別情報ＤＳＣ２００５０４００、装置２の第１区別情報ＤＳＣ２００５０４０１）を持つ場合、同じ機器情報を持つ装置２１０、２２０と判断する。
【００９２】
その後、第１制御部１８０は、判断部１２０の判断結果に基づいて第２区別情報生成部１３０に該当被制御装置２１０、２２０についての第２区別情報を生成するように要請する。これに、第２区別情報生成部１３０は、同じ機器情報を持つ装置２１０、２２０のオリジナルネームをチェックし、一つの装置（例えば、２２０）についての第２区別情報を生成する（Ｓ２７０）。ここで、生成された第２区別情報は第１情報保存部１６０に保存され、これに第１情報保存部１６０は、新たな情報にアップデートされる。
【００９３】
例えば、‘装置１’２１０及び、‘装置２’２２０のオリジナルネームが‘ＡＶＨＤＤ’である場合、第２区別情報生成部１３０は、‘装置２’２２０のオリジナルネームに基づいて第２区別情報（例えば、ＡＶＨＤＤ１）を生成する。
【００９４】
その後、第１制御部１８０は、ＵＩ生成部１４０に、ユーザに提供する被制御装置２００のＵＩを生成するように要請し、これにＵＩ生成部１４０は、第１情報保存部１６０に保存された機器情報及び第２区別情報に基づいて各被制御装置２００についてのＵＩを生成する（Ｓ２８０）。ここで、ＵＩ生成部１４０は、第１情報保存部１６０に保存された被制御装置２００の情報のうち第２区別情報がある被制御装置２００については第２区別情報でＵＩを生成し、第２区別情報のない被制御装置２００についてはオリジナルネームでＵＩを生成する。また、被制御装置２００のＵＩには製造社名称も共に提供される。
【００９５】
その後、第１制御部１８０は、生成された被制御装置２００のＵＩをディスプレイ装置を通じてディスプレイする。
【００９６】
一方、被制御装置２００のうち同じ機器情報を持っている被制御装置２００の存否を判断した結果（Ｓ２３０）、同じ機器情報を持つ被制御装置２００が存在していない場合、マスター装置１００は、別途の過程を行わずに終了する。
【００９７】
また、第１区別情報の同一如何をチェックした結果（Ｓ２５０）、被制御装置２００の第１区別情報が相等しい場合には、該当被制御装置２００を同じ装置と判断し（Ｓ２９０）、これに第１情報保存部１６０に該当被制御情報を追加しないか、または第１情報保存部１６０に保存された同じ被制御装置についての情報を削除する。
【００９８】
したがって、同じ機器情報を持つ装置において、ユーザに提供する被制御装置（またはマスター装置）のＵＩに相異なる製品情報（例えば、オリジナルネームまたは第２区別情報）を提供することによって、ユーザの所定装置選択時に各装置について明確に区別可能にする。
【００９９】
以上、添付図を参照して本発明の実施例を説明したが、本発明が属する技術分野で当業者ならば本発明がその技術的思想や必須特徴を変更せずとも他の具体的な形に実施されうるということが理解できるであろう。したがって、前述した実施例は全ての面で例示的なものであって、限定的なものではないと理解せねばならない。
【産業上の利用可能性】
【０１００】
本発明は、デジタルＴＶ、セットトップボックス、ＤＶＤ再生機、デジタルアンプなど多様なＡ／Ｖ機器の関連技術分野に好適に用いられる。
【図面の簡単な説明】
【０１０１】
【図１Ａ】Ａ／Ｖネットワーク上に存在するマスター装置及び被制御装置の動作過程を示す図である。
【図１Ｂ】ＣＥＡ  ２０２７スペックによる２０２７ファイル内容の一例を示す図である。
【図１Ｃ】各装置についてのＵＩを画面にディスプレイした図である。
【図２】本発明の一実施形態によるＡ／Ｖネットワーク上に存在するＡ／Ｖ装置についての区別情報を生成するシステムを概略的に示すブロック図である。
【図３】本発明の他の実施形態によるＡ／Ｖネットワーク上に存在するＡ／Ｖ装置についての区別情報を生成するシステムで、マスター装置の内部ブロック図である。
【図４】本発明のさらに他の実施形態によるＡ／Ｖネットワーク上に存在するＡ／Ｖ装置についての区別情報を生成するシステムで、被制御装置の内部ブロック図である。
【図５Ａ】本発明のさらに他の実施形態によるＡ／Ｖネットワーク上に存在するＡ／Ｖ装置についての区別情報を生成するマスター装置で、情報テーブルをアップデートする過程を示す図である。
【図５Ｂ】本発明のさらに他の実施形態によるＡ／Ｖネットワーク上に存在するＡ／Ｖ装置についての区別情報を生成するマスター装置で、情報テーブルをアップデートする過程を示す図である。
【図５Ｃ】本発明のさらに他の実施形態によるＡ／Ｖネットワーク上に存在するＡ／Ｖ装置についての区別情報を生成するマスター装置で、情報テーブルをアップデートする過程を示す図である。
【図５Ｄ】本発明のさらに他の実施形態によるＡ／Ｖネットワーク上に存在するＡ／Ｖ装置についての区別情報を生成するマスター装置で、情報テーブルをアップデートする過程を示す図である。
【図６Ａ】本発明のさらに他の実施形態による２０２７ファイル内容及び２０２７ファイル内容に基づいて生成されたマスター装置及び被制御装置のＵＩを示す図である。
【図６Ｂ】本発明のさらに他の実施形態による２０２７ファイル内容及び２０２７ファイル内容に基づいて生成されたマスター装置及び被制御装置のＵＩを示す図である。
【図７】本発明のさらに他の実施形態によるＡ／Ｖネットワーク上に存在するＡ／Ｖ装置についての区別情報を生成する方法を示すフローチャートである。
【符号の説明】
【０１０２】
１００      マスター装置
１１０      情報要請部
１２０      判断部
１３０      第２区別情報生成部
１４０      ＵＩ生成部
１５０      第１送受信部
１６０      第１情報保存部
１７０      第１ディスプレイ部
１８０      第１制御部
２００      被制御装置
２１０      情報抽出部
２２０      第２情報保存部
２３０      第２送受信部
２４０      第２ディスプレイ部
２５０      第２制御部
【図１Ａ】
2006338657.tif 000003
【図１Ｂ】
2006338657.tif 000004
【図１Ｃ】
2006338657.tif 000005
【図２】
2006338657.tif 000006
【図３】
2006338657.tif 000007
【図４】
2006338657.tif 000008
【図５Ａ】
2006338657.tif 000009
【図５Ｂ】
2006338657.tif 000010
【図５Ｃ】
2006338657.tif 000011
【図５Ｄ】
2006338657.tif 000012
【図６Ａ】
2006338657.tif 000013
【図６Ｂ】
2006338657.tif 000014
【図７】
2006338657.tif 000015